(57)【要約】【課題】トンネル内部等における予防措置のために、レーザー光線を施工面に照射して施工位置を示すマークを表示し、それによって、第三者被害予防等の措置範囲としての上部工の領域を決めるためのアングルレーザー墨出し装置を提供する。【解決手段】レーザー光線を用いてマークを施工面に表示するためのアングルレーザー墨出し装置として、施工面に対して適切な位置に配置される装置基盤１１と、レーザー光線を照射するレーザーポインター１５と、レーザーポインターを保持するマウント１２及び上記マウントを装置基盤に一定の角度を保って取り付けるためのマウント取り付け部１４とを備えた構成を有するものとする。【選択図】          図１
0003204609.tif 000002
【実用新案登録請求の範囲】
【請求項１】
レーザー光線を用いてマークを施工面に表示するための装置であって、
施工面に対して適切な位置に配置される装置基盤と、
レーザー光線を照射するレーザーポインターと、
レーザーポインターを保持するマウント及び
上記マウントを装置基盤に一定の角度を保って取り付けるためのマウント取り付け部
を備えたアングルレーザー墨出し装置。
【請求項２】
装置基板は、路面に水平に配置するために水準器と水準調整ネジを備えており、マウント取り付け部は、装置基盤との角度を一定に調節する角度調節手段を備えており、上記マウントは、上記角度を表示する角度計の取り付け部を提供している
請求項１記載のアングルレーザー墨出し装置。
【請求項３】
マウントは、レーザー光線の照射方向を変えるためにレーザーポインターを着脱可能に保持するホルダーを有し、レーザー光線の照射方向を決定する照準器が装置基盤に設けられている
請求項１又は２記載のアングルレーザー墨出し装置。
【請求項４】
マウントの上部が装置基盤の端部において内方から外方へ傾斜する形態と、マウントの上部が装置基盤の端部において外方から内方へ傾斜する形態との二つの形態を取るアングルレーザー墨出し装置を二基一組として構成される
請求項１又は２記載のアングルレーザー墨出し装置。
【請求項５】
装置基盤を施工面に対して適切な位置に配置せず次善の位置に配置したときに、次善の位置と適切な位置との距離を計測する出し入れ可能なスケールを備えている
請求項  記載のアングルレーザー墨出し装置。
【請求項６】
レーザーポインターとして、基盤の照準器にレーザー光線を照射する第１のレーザーポインターと、施工面にレーザー光線を照射する第２のレーザーポインターを備えている
請求項３記載のアングルレーザー墨出し装置。
【考案の詳細な説明】
【技術分野】
【０００１】
本考案は、レーザー光線を用いてマークを施工面に表示するためのアングルレーザー墨出し装置に関するものである。
【背景技術】
【０００２】
建築、土木の分野では、コンクリートを用いて行なう工事が大きな割合を占めている。例えば、トンネルは地盤又は岩盤を掘削し、内側をコンクリートで巻き立てる工事によって構築される。また、トンネルにはコンクリート躯体の内面を覆う構造が付帯しており、近年大きく報じられた、いわゆる笹子トンネル崩落事故は天井板が落下したものである。トンネル内壁の剥落や躯体自体の崩壊ではないにしても、落下物が高速で走行中の自動車に衝突すれば、大なり小なり事故を招くことは明らかである。
【０００３】
橋梁についても事情は同様であるが、河川等に架設される以外に高架橋も橋梁に含まれるのでトンネルよりもはるかに多くなり、事故が発生した場合には二次的被害が少なからず予測される。これに対して、旧建設省工事公衆災害防止対策要綱には落下物に対する防護設備として、「施工者は地上４メートル以上の場所で作業する場合において、作業する場所から、ふ角７５度以上のところに一般の交通その他の用に供せられる場所があるときは、作業する場所の周囲その他危害防止上必要な部分を板材等をもって覆う等落下物による危害を防止するための必要な施設を設けなければならない。」との規定が第１０１条に設けられており、４メートル以下でも危害の恐れのあるときは同様に扱うと付記されている。なお、ふ角は高所より下方を見下ろしたときの角度であり、俯角とも表記する。
【０００４】
トンネル構造に起因する道路利用者及び第三者被害については、現在のところ対応する規定は定められていないようである。しかし、平成１６年３月国土交通省道路局国道・防災課作成による「橋梁における第三者被害予防措置要領（案）」に準拠した安全基準が実施されており、これは前記防護設備に関する規定と軌を一にするものと考えられる。この安全基準をトンネルに適用すると図８のようになる。図８は、「作業する場所から見てふ角７５度」として、道路境界から見て仰角７５度に相当する位置にラインを引き、第三者被害等に関する予防措置範囲として、上部工の領域を決めることを示している。
【０００５】
上部工領域の下限を決定するために、従来は測量用のロッド（標尺）とスラント（勾配定規）を使用して行なっていた。具体的にはロッドの下端を道路境界にあてがい、水平から上方７５度の角度をスラントにより測角し、ロッドの長手方向とトンネル内壁の交差した位置に手描きでマークを付けて墨出しを行ない、上部工範囲の下限を決定している。このようにして決定した範囲に防護措置を講じることにより、トンネル内面から異物が落下してもそれを道路部以外にとどめられると考えられる。しかしながら、この方法は一人では行なえないため墨出し作業に人数や手間が掛かり過ぎ、また、墨出しの正確も期し難いという問題がある。
【０００６】
こうした状況において先行技術を調査したところ、特開２００７−１１８１６５号が見出された。その発明は墨位置記録装置というもので、施工現場において、設置物を据え付けるための据え付け位置として三次元計測機により提示された提示位置に対してマーキングロボットによりマーキングを行なうという構成を有する。三次元計測機は目標を視準して視準先にレーザー光を照射し、再帰反射光を受光検知して視準先までの距離及び方位を測定して視準先の三次元座標を演算するものとされている。
【０００７】
しかし、上記の発明では三次元計測機に設計図面上の据え付け位置の三次元座標情報が入力されていなければならない。そのため、三次元座標情報を入手できないトンネルについては、まず座標情報を入手するか、或いはデータを作成することから始めなければならないということになる。施工対象のトンネルが施工者にとって未知であり、それについて墨出しを行なう必要がある場合、上記のような発明が有効であるということはできないであろう。
【先行技術文献】
【特許文献】
【０００８】
【特許文献１】特開２００７−１１８１６５号
【考案の概要】
【考案が解決しようとする課題】
【０００９】
本考案は前記の点に鑑みなされたもので、その課題は、例えばトンネル内部等における予防措置のために、レーザー光線を施工面に照射して施工位置を示すマークを表示し、それによって、第三者被害予防等の措置範囲としての上部工の領域を決めるためのアングルレーザー墨出し装置を提供することである。また、本考案の他の課題は、一人でも正確な墨出しを行なうことが可能なアングルレーザー墨出し装置を提供することである。また、本考案の他の課題は、レーザー光線の障害となるものが途中にあっても、正確に墨出しを行なうことができるアングルレーザー墨出し装置を提供することである。
【課題を解決するための手段】
【００１０】
前記の課題を解決するため、本考案は、レーザー光線を用いてマークを施工面に表示するための装置として、施工面に対して適切な位置に配置される装置基盤と、レーザー光線を照射するレーザーポインターと、レーザーポインターを保持するマウント及び上記マウントを装置基盤に一定の関係を保って取り付けるためのマウント取り付け部を備えて構成するという手段を講じたものである。なお、本考案において「アングル」とは前述の俯角（図２Ｂ、図７Ａにおける角度Ｋ）或いはそれと錯角の関係にある仰角（図２Ｂ、図７Ａにおける角度ｋ）のことである。
【００１１】
装置基盤が施工面に対して適切な位置に配置されることによって、レーザー光線を直接又は間接的に施工面に照射できるという工程が保証される。そして、例えば、装置基盤を水平に保持することによって、レーザーポインターの指し示す方向を正確に決定することができる。
【００１２】
本考案の装置として、装置基板が、路面に水平に配置するために水準器と水準調整ネジを備えており、マウント取り付け部は、装置基盤との角度を一定に調節する角度調節手段を備えており、上記マウントが、上記角度を表示する角度計の取り付け部を提供している構成は好ましいものである。
【００１３】
マウントが、レーザー光線の照射方向を変えるためにレーザーポインターを着脱可能に保持するホルダーを有し、また、上記照射方向の一つが指向する照準器を装置基盤に有しているという構成は、本考案の装置にとって好ましいものである。この構成により、レーザーポインターを１個用いるだけでも正確な墨出しが可能になる。
【００１４】
また、本考案はマウントの上部が装置基盤の端部において内方から外方へ傾斜する形態と、マウントの上部が装置基盤の端部において外方から内方へ傾斜する形態との二つの形態を取る墨出し装置を二基一組として構成することができる。二つの形態のアングルレーザー墨出し装置は別々の装置として構成することができ、それらの装置を組み合わせることで後述する新たな使用方法の考案につながる。しかし、一つのアングルレーザー墨出し装置が二つの形態を兼ねるように構成することも可能である。
【００１５】
装置基盤を施工面に対して適切な位置に配置せず次善の位置に配置したときに、次善の位置と適切な位置との距離を計測する出し入れ可能なスケールを備えると良い。このようなスケールによって、使用上、誤りの入り込む余地を排除することが容易になり、本考案の装置を使用する方法の考案を拡張する。言い換えれば、適切な位置とは移動前の位置、次善の位置とは移動後の位置であり、スケールはその移動前後の距離の計測に用いられるということである。また、本考案のアングルレーザー墨出し装置は、後述するように道路上に配置して使用するのが一般的ではあるけれども、状況によりそれができない場合には三脚等の台を用いてその上に配置することもある。
【００１６】
本考案のアングルレーザー墨出し装置は、レーザーポインターとして、基盤の照準器にレーザー光線を照射する第１のレーザーポインターと、施工面にレーザー光線を照射する第２のレーザーポインターを備えているという構成を取ることができる。これにより、レーザーポインターを着脱せずに全ての作業を行なうことができる。
【００１７】
本考案は、また、施工面に対して適切な位置に配置される装置基盤と、レーザー光線を照射するレーザーポインターと、レーザーポインターを保持するマウント及び上記マウントを装置基盤に一定の角度を保って取り付けるためのマウント取り付け部を備えた、レーザー光線を用いて施工位置を示すマークを施工面に表示するアングルレーザー墨出し装置の使用方法として、マウント取り付け部として、装置基盤の端部においてマウントの上部が内方から外方へ傾斜する形態を取る第１の装置と、装置基盤の端部においてマウントの上部が外方から内方へ傾斜する形態を取る第２の装置の二基の装置を使用し、第１の装置が備えているスケールによって、基準点から障害物を避ける位置までの移動量を計測し、第２の装置は、第１の装置とマウントの傾斜が一致した状態にして、上記計測された移動量だけ所期の位置まで戻して配置し、それによって第１の装置のレーザー光線を第２の装置が受け継ぐという使用方法を取ることができる。この使用方法にも新規性があり、アングルレーザー墨出し装置の利便性を拡張する。
【考案の効果】
【００１８】
本考案は以上のように構成され、かつ作用するものであるから、例えば、トンネル内部における予防措置のために、レーザー光線を施工面に照射して施工位置を示すマークを表示し、それによって、第三者被害予防等の措置範囲としての上部工の領域を決めるためのアングルレーザー墨出し作業を容易、かつ、正確に実施することができるという効果を奏する。また、本考案によれば、一人でも正確な墨出しを行なうことが可能なアングルレーザー墨出し装置を提供することができる。また、本考案によれば、レーザー光線の障害となるものが途中にあっても、正確に墨出しを行なうことができる。
【図面の簡単な説明】
【００１９】
【図１】本考案に係るアングルレーザー墨出し装置の例１を示す斜視図である。
【図２Ａ】同上の装置を基盤端部の外方から見た背面図である。
【図２Ｂ】同上の装置を基盤の側方から見た右側面図である。
【図３】同じくアングルレーザー墨出し装置の例２を示す斜視図である。
【図４】同上の装置を上面から見た平面図である。
【図５】同じくアングルレーザー墨出し装置の例３を示す斜視図である。
【図６Ａ】角度調節手段の他の例１を示す側面図及び上面図である。
【図６Ｂ】角度調節手段の他の例２を示す側面図及び上面図である。
【図７Ａ】同じくアングルレーザー墨出し装置の使用例１を示す説明図である。
【図７Ｂ】同じくアングルレーザー墨出し装置の使用例２を示す説明図である。
【図８】道路境界から見て仰角７５度に相当する位置にラインを引き、第三者被害等に関する予防措置範囲として、上部工の領域を決める作業を示す説明図である。
【考案を実施するための最良の形態】
【００２０】
以下、図示の実施形態を参照して本考案をより詳細に説明する。符号１０は本考案の例１のアングルレーザー墨出し装置、１１は装置基盤をそれぞれ示しており、装置基盤１１は施工面に対して適切な位置に配置できる形状、構造、大きさを有している。例示の装置基盤１１は多少粗略に扱っても変形を生じない剛性部材より成り、また、安定性と携帯性を両立するように適度の重量を有している。装置基盤１１の素材には金属又は合成樹脂もしくはそれらの複合材料が適しており、そのため、例１の装置基盤１１にはアルミニウム合金より成る厚板を用いている。
【００２１】
装置基盤１１は、墨出しのためにレーザーポインター１５を保持するマウント１２を一定の角度を保って取り付けるもので、そのため盤面上にヒンジ１３を用いてマウント取り付け部１４が設けられている（図２等参照）。マウント１２はレーザーポインター１５を保持し、また、後述する角度計２５を取り付けるもので、正確な平面形状を有し、かつ、通常の使用条件では変形しない剛性を備えた部材によって形成されている。そのために、例１のマウント１２は、例えば、鋼板等の鉄合金より成る厚手の板材によって形成されている。
【００２２】
マウント１２は、レーザーポインター１５を着脱可能に保持するホルダー１６を側方に備えており、例示されているホルダー１６は、レーザーポインター１５を嵌め込むコ字型の保持空所１７を有している。なお、レーザーポインター１５はホルダー１６の弾性によって保持されている。ホルダー１６は下端にストッパー１６ａを有している。各図に示されているものは考案の構成の説明用であって、必ずしも製造上の構造を追及したものではないから、量産の際には具体的な構造や部品の形状等を自由に変更することができる。
【００２３】
レーザーポインター１５は半球状に示されている照射ヘッド１５ａを有し、上下に向きを変えて使用することができる。図１等に示した上向きの状態が墨出しの用途であり、逆の下向きは照準の用途である。照準用途のために、レーザー光線の照射方向を決定する照準器１８が装置基盤１１に設けられている。照準器１８は、マウント１２が装置基盤１１に一定の角度、例えば、俯角（実際は仰角）７５度を保って取り付けられたとき、スポット状のレーザー光線が照準器１８の中心に照射されるように位置関係が設定されている。符号１５ｂはスイッチを示しており、スイッチ操作によってレーザー光線を照射することができることに加えて、照射状態を維持するためにネジ手段から成っている。
【００２４】
レーザー光線の照射方向を決定する手段となるのが、前述のマウント取り付け部１４である。図示したマウント取り付け部１４は、装置基盤１１とマウント１２にそれぞれ取り付けた軸受１９、２０と、各軸受１９、２０に軸支した傾斜軸２１及び２２と、一方の傾斜軸２１に備えられた雄ネジ部２１ａ、他方の傾斜軸２２に備えられた軸部２２ａと、雄ネジ部２１ａとネジ合わされる雌ネジ部を一端内部に有し、軸部２２ａが入り込める孔部を他端内部に有する操作部材２３とから構成されている。なお、マウント取り付け部１４の具体的構成については、例示のものとは異なる構成を取り得るので、他の例については図６Ａ及びＢを参照して後で説明する。
【００２５】
さらに、装置基盤１１とマウント１２にフックを設け、引っ張りバネ２４を作用させることによって、機構上の遊びを有効に吸収し、角度ｋの設定を正確に保持することができる。角度ｋは作業場所である施工面Ｘから見た俯角Ｋと錯角の関係、つまり交差する線は共に水平線であるから、俯角Ｋ＝仰角ｋである（図２Ｂ参照）。上記角度計２５は上部が外方へ傾斜する形態に設定された、鋼製マウント１２の正面に取り付け手段２５ｂとしての磁石を用いて着脱可能に固定されている。なお、角度ｋ＝Ｋは角度計２５に具えられているデジタル表示部２５ａに表示される（図２Ｂ参照）。
【００２６】
角度計２５には様々なタイプがあり、例えば、鉛直を自動的に感知して角度を検出するタイプのものでは、装置基盤１１の傾きにかかわらず正確な俯角を検出し、表示部２５ａに表示することができる。従って、マウント取り付け部１４が角度調節手段を具える構成は絶対的条件ではない。
【００２７】
しかし、本実施例では、この角度ｋ＝Ｋを正確に設定するために、装置基板１１を路面に水平に配置する水準器２４と水準調整ネジ２６を備えている。このように構成すれば角度計２５をその種類に拘らず、本考案の装置に適用することができる。なお、実施形態において、水準調整ネジ２６は安定性を考慮して４個具えている。しかし、調節には３個の方がより容易であり、本考案についても３個で構成することができる。２７は相手ネジであり、装置基盤１１に固定されている。
【００２８】
また、装置基盤１１には重量バランスを取るためにウエイト２８が設けられている。これは、詳述して来たアングルレーザー墨出し装置１０の場合、マウント取り付け部１４をはじめとする主要部の重量が装置基盤１１の一方（後方とする）に偏って設けざるを得ないため、装置基盤１１の他方（前方とする）にウエイト２８を配置するものである。こうして調整された、バランスの良い位置に携帯用の取っ手２９が取り付けられ、取っ手２９にはグリップ２９ａを設けている。
【００２９】
さらに、本考案に係る例２のアングルレーザー墨出し装置３０について説明する。図３及び図４に示したように、例２のアングルレーザー墨出し装置３０は、二種類のレーザーポインター３１、３２を備えており、かつまた、装置基盤１１の移動距離を計測する出し入れ可能なスケール３５を備えている。他の点については例１のアングルレーザー墨出し装置１０の場合と同様であるので、符号を援用して詳細な説明は省略する。
【００３０】
一方のレーザーポインター３１は、例１のものと同様照準のために基盤１１の照準器１８にスポット状（点状）のレーザー光線を照射するもので、着脱可能にホルダー１６に取り付けられている。他方のレーザーポインター３２は、装置基盤１１の所定の位置に設けられた照準器３３により正しく照準がなされた状態でマウント１２に固定されており、施工面Ｘにビーム状（線状）のレーザー光線を照射するもので、ビーム方向は水平方向に合わせられる。従って、スポット状（点状）とビーム状（線状）のレーザー光線を照射することができるので、使用するレーザーポインター３１、３２を用途によって選択することが可能になる。
【００３１】
スケール３５は、装置基盤１１を施工面に対して適切な位置に配置せず次善の位置に配置したときに、次善の位置と適切な位置との距離（移動量）を計測するものである。そのため、装置基盤面には受け部材３４が複数個直線状に配置されており、その受け溝にスケール３５を摺動させて出し入れするように設けている。スケール３５を任意の出し入れ位置で固定するために、受け部材３４には少なくとも１箇所の止めネジ３６が必要である。
【００３２】
図５は本考案に係る例３のアングルレーザー墨出し装置４０を示している。例３のアングルレーザー墨出し装置４０は、第三のレーザーポインター３７を１個だけ有している点、例１のアングルレーザー墨出し装置１０と共通するが、マウント３８は、その上部が装置基盤１１の端部において外方から内方へ傾斜する形態を取るものである。従って、他の点については例１のアングルレーザー墨出し装置１０の場合と同様であるので、符号を援用して詳細な説明は省略する。
【００３３】
例３のアングルレーザー墨出し装置４０は、本考案のアングルレーザー墨出し装置を二台組み合わせて使用する方法において、第１の装置Ｌ１のレーザー光線を受け継ぐ第２の装置Ｌ２の役割を担うもので、照準器３９を装置基盤２２の端部に寄せて設けている。従って、照準器３９は第三のレーザーポインター３７におけるレーザー光線の照準と、第１の装置Ｌ１から照射されるレーザー光線の照準に用いられる。
【００３４】
以上の各例１〜３において、マウント１２は装置基盤１１の盤面にヒンジ１３によって取り付けられているので、基本的には前後にそれぞれ９０度マウント１２を回転可能な構造である。つまり、前に触れたように一つのアングルレーザー墨出し装置が二つの形態を兼ねるように構成することも可能である。しかし、使用し易く、製造も容易であるという観点から実施形態では、マウント取り付け部の上部が装置基盤の端部において内方から外方へ傾斜する形態と、装置基盤の端部において外方から内方へ傾斜する形態のものを別々にしたものである。
【００３５】
図６Ａは前述したマウント取り付け部１４の変形例としての角度調節手段の他の例１を示しており、ギヤ機構を使用してマウント１２の傾斜角度を調整するものである。ギヤ機構はマウント１２のヒンジ１３と同軸にギヤ４１を取り付け、そのギヤ４１と噛合うピニオン４２を装置基盤１１に回転可能に取り付け、ピニオン４２をハンドル４３の操作によって回転し、マウント１２を駆動するようにした構成を有する。この構成によれば１８０度近い測角範囲Ｗが得られ、角度計２５は、マウント１２などが磁性体より成るものとして、表裏両面に取り付け可能になる。４４は表示スケールであり、測角の起点が移動した場合にその移動量（ずれの量）を即座に把握できるように設けたものである。
【００３６】
また、図６Ｂに示した角度調節手段の例２もギヤ機構を使用してマウント１２の傾斜角度を調整するものであるが、より狭い範囲の角度調整を目的としている。そのためにより小型の扇形ギヤ４５をマウント１２の背面中央部に配置することができ、それと噛合うピニオン４６を装置基盤１１に設けた軸受け４７に取り付ける構成を取り、ピニオン４６をハンドル４８によって操作する。例２の場合の調整範囲は鉛直から数十度であるが、ギヤ機構が小型のため裏面のスペースに角度計２５の取り付けが可能であり、また、表示スケール４９を具えているので、例１の場合と同様に測角の起点移動（ずれ）に対応することが容易である。
【００３７】
このように構成された本考案のアングルレーザー墨出し装置の使用方法について説明する。図７Ａを参照すると、作業は道路部の端の道路境界起点に照準器１８が一致するように例１のアングルレーザー墨出し装置１０（Ｌ１）を配置し、装置基盤１１の水平を出すことから開始する。道路部とトンネル躯体との間には縁石部及び歩廊部があるが、この例の場合、アングルレーザー墨出し装置１０（Ｌ１）を正しく道路部の端に配置した状態において、上記縁石部に邪魔されることなく施工面Ｘに対してレーザー光線を照射することができる。
【００３８】
従って、水平が出ていること及び角度ｋを正確に設定することによって、作業場所である施工面Ｘから見た俯角Ｋ＝７５度の位置に、正確にレーザー光線を用いて表示をすることができる。アングルレーザー墨出し装置１０（Ｌ１）の調整は予め完了させておくことができ、後はレーザー光線の照射で施工面に示されているレーザースポットの部分にマークを表示すれば良いが、これらは一人で楽に行なえる作業である。
【００３９】
図７Ｂは、道路部の端の適切な位置である道路境界起点に照準器１８が位置するようにアングルレーザー墨出し装置Ｌ１を配置すると、レーザー光線が歩廊部によって邪魔されるため、施工面Ｘにレーザー光線が照射されず、マークを表示することができない場合である。このような場合、マウントの上部が装置基盤の端部において内方から外方へ傾斜する形態と、マウントの上部が装置基盤の端部において外方から内方へ傾斜する形態との二つの形態を取る墨出し装置を二基一組として墨出し装置を構成することができる。
【００４０】
第１の装置Ｌ１については、例えば例２のアングルレーザー墨出し装置３０を使用し、その装置基盤１１に備わっているスケール３５を用いて、道路境界起点から次善の位置である障害物を避ける位置まで移動させ、レーザー光線が照射されるようにする（上記の移動量ｂを計測・記録しておくのは当然である。）。次いで、第１の装置Ｌ１（３０）のマウント１２と、第２の装置Ｌ２（４０）のマウント３８の傾斜を一致した状態にして歩廊部の内側に寄せて配置し、計測された移動量ｂだけ所期の位置まで戻すことにより、第１の装置Ｌ１（３０）のレーザー光線を第２の装置Ｌ２（４０）が受け継ぐようにする。これによって、第２の装置Ｌ２（４０）から照射されるレーザー光線により、いわばビジュアルに、施工面Ｘにマーキング位置が表示されるので、計算等の作業を必要とせず速やかに正しい墨出しを行なうことができる。
【００４１】
なお、図７Ｂにおいて、「ｈ」はアングルレーザー墨出し装置Ｌ１（３０）を上記のように移動量ｂだけ移動させた場合における仮の表示Ｙと、作業場所である施工面Ｘとの差を示している。差ｈは、上記仮の表示Ｙを指向するレーザー光線Ｒと、道路境界の起点に第１の装置Ｌ１（３０）の照準器１８を位置させたときに照準器１８を通る垂線Ｐとの交点Ｑの高さに等しい。この高さはレーザー光線Ｒの角度が、例えば７５度と決定していれば予め簡単に計算できるので、仮の表示Ｙから差ｈを差し引くことによって、施工面Ｘの位置に正しくマークを表示することができる。つまり、例１又は例２のアングルレーザー墨出し装置１０、３０が１台しか使用できない場合でも墨出しを正確に行なうことができる。上記の説明では詳細を省略しているが、全てのアングルレーザー墨出し装置は単に水平だけでなく、正確に同方向に向けて配置されていることなどが必要である。
【符号の説明】
【００４２】
１０、３０、４０  アングルレーザー墨出し装置
１１  装置基盤
１２、３８  マウント
１３  ヒンジ
１４  マウント取り付け部
１５、３１、３２、３７  レーザーポインター
１６  ホルダー
１７  保持空所
１８、３３、３９  照準器
１９、２０  軸受け
２１、２２  傾斜軸
２３  操作部材
２４  引っ張りバネ
２５  角度計
２６  水準調整ネジ
２７  相手ネジ
２８  ウエイト
２９  取っ手
３４  受け部材
３５  スケール
３６  止めねじ
４１、４５  ギヤ
４２、４６  ピニオン
４３、４８  ハンドル
４４、４９  表示スケール
【図１】
0003204609.tif 000003
【図２Ａ】
0003204609.tif 000004
【図２Ｂ】
0003204609.tif 000005
【図３】
0003204609.tif 000006
【図４】
0003204609.tif 000007
【図５】
0003204609.tif 000008
【図６Ａ】
0003204609.tif 000009
【図６Ｂ】
0003204609.tif 000010
【図７Ａ】
0003204609.tif 000011
【図７Ｂ】
0003204609.tif 000012
【図８】
0003204609.tif 000013
【手続補正書】
【提出日】平成28年3月28日(2016.3.28)
【手続補正１】
【補正対象書類名】実用新案登録請求の範囲
【補正対象項目名】全文
【補正方法】変更
【補正の内容】
【実用新案登録請求の範囲】
【請求項１】
レーザー光線を用いてマークを施工面に表示するための装置であって、
施工面に対して適切な位置に配置される装置基盤と、
レーザー光線を照射するレーザーポインターと、
レーザーポインターを保持するマウント及び
上記マウントを装置基盤に一定の角度を保って取り付けるためのマウント取り付け部
を備えたアングルレーザー墨出し装置。
【請求項２】
装置基盤は、路面に水平に配置するために水準器と水準調整ネジを備えており、マウント取り付け部は、装置基盤との角度を一定に調節する角度調節手段を備えており、上記マウントは、上記角度を表示する角度計の取り付け部を提供している
請求項１記載のアングルレーザー墨出し装置。
【請求項３】
マウントは、レーザー光線の照射方向を変えるためにレーザーポインターを着脱可能に保持するホルダーを有し、レーザー光線の照射方向を決定する照準器が装置基盤に設けられている
請求項１又は２記載のアングルレーザー墨出し装置。
【請求項４】
マウントの上部が装置基盤の端部において内方から外方へ傾斜する形態と、マウントの上部が装置基盤の端部において外方から内方へ傾斜する形態との二つの形態を取るアングルレーザー墨出し装置を二基一組として構成される
請求項１又は２記載のアングルレーザー墨出し装置。
【請求項５】
装置基盤を施工面に対して適切な位置に配置せず次善の位置に配置したときに、次善の位置と適切な位置との距離を計測する出し入れ可能なスケールを備えている
請求項１又は２記載のアングルレーザー墨出し装置。
【請求項６】
レーザーポインターとして、基盤の照準器にレーザー光線を照射する第１のレーザーポインターと、施工面にレーザー光線を照射する第２のレーザーポインターを備えている
請求項３記載のアングルレーザー墨出し装置。
【手続補正２】
【補正対象書類名】明細書
【補正対象項目名】００１２
【補正方法】変更
【補正の内容】
【００１２】
本考案の装置として、装置基盤が、路面に水平に配置するために水準器と水準調整ネジを備えており、マウント取り付け部は、装置基盤との角度を一定に調節する角度調節手段を備えており、上記マウントが、上記角度を表示する角度計の取り付け部を提供している構成は好ましいものである。
【手続補正３】
【補正対象書類名】明細書
【補正対象項目名】００２７
【補正方法】変更
【補正の内容】
【００２７】
しかし、本実施例では、この角度ｋ＝Ｋを正確に設定するために、装置基盤１１を路面に水平に配置する水準器２４と水準調整ネジ２６を備えている。このように構成すれば角度計２５をその種類に拘らず、本考案の装置に適用することができる。なお、実施形態において、水準調整ネジ２６は安定性を考慮して４個具えている。しかし、調節には３個の方がより容易であり、本考案についても３個で構成することができる。２７は相手ネジであり、装置基盤１１に固定されている。